(57)【要約】【課題】発光面に局所的に輝度の高い部分が存在する照明装置を用いた場合の不快グレアを、照明効率の低下を抑えつつ抑制する。【解決手段】実施形態の照明装置は、拡散部により、光を放射する光源部から放射された光を透過率に従い拡散させる。位置情報取得部は、少なくとも人の位置を示す位置情報を取得する。輝度取得部は、位置情報に示される位置での、器具発光面の輝度を取得し、算出部は、拡散部の透過率と器具発光面の輝度とに従い、器具発光面の輝度分布の均一さを示す輝度均斉度を算出する。制御部は、領域毎の輝度と輝度均斉度とに応じて透過率と光源部の光出力とを変更する。【選択図】図４
2014175224.tif 000002
【特許請求の範囲】
【請求項１】
光を放射する光源部と、
前記光源部から放射された光を透過率に従い拡散させる拡散部と、
少なくとも人の位置を示す位置情報を取得する位置情報取得部と、
前記位置情報に示される位置での、器具発光面の輝度を取得する輝度取得部と、
前記透過率と前記器具発光面の輝度とに従い、前記位置情報で示される位置での前記器具発光面の輝度分布の均一さを示す輝度均斉度を算出する算出部と、
前記輝度と前記輝度均斉度とに応じて前記透過率と前記光源部の光出力とを変更する制御部と
を有する
ことを特徴とする照明装置。
【請求項２】
前記輝度取得部は、
前記輝度を前記器具発光面の領域毎に取得し、
前記算出部は、
前記透過率と前記器具発光面の領域毎の輝度とに従い、前記位置情報で示される位置での前記輝度均斉度を算出する
ことを特徴とする請求項１に記載の照明装置。
【請求項３】
前記制御部は、
前記器具発光面における平均輝度が一定値を保持した状態で前記輝度均斉度が変化するように、前記透過率と前記光源部の光出力とを変更する
ことを特徴とする請求項１または請求項２に記載の照明装置。
【請求項４】
前記位置情報取得部は、
情報送信装置から送信された前記位置情報を取得する
ことを特徴とする請求項１乃至請求項３の何れか１項に記載の照明装置。
【請求項５】
前記位置情報取得部は、
前記情報送信装置から送信された眩しさの感じ易さを示す情報をさらに取得し、
前記制御部は、
前記輝度と、前記輝度均斉度と、眩しさの感じ易さを示す情報とに応じて前記透過率と前記光源部の光出力とを変更する
ことを特徴とする請求項４に記載の照明装置。
【請求項６】
前記位置情報取得部は、
人の所在を検出する人感センサの出力に従い前記位置情報を取得する
ことを特徴とする請求項１乃至請求項３の何れか１項に記載の照明装置。
【請求項７】
前記光源部は、
互いに分光特性の異なる複数の光源部を含み、
前記制御部は、
前記複数の光源部それぞれの分光特性に従い、前記複数の光源部の光出力を前記複数の光源部それぞれで独立して変更すると共に、前記透過率を変更する
ことを特徴とする請求項１乃至請求項６の何れか１項に記載の照明装置。
【請求項８】
前記拡散部は、複数の領域に分割されて構成され、
前記制御部は、
前記拡散部の前記複数の領域毎に前記透過率を変更する
ことを特徴とする請求項１乃至請求項７の何れか１項に記載の照明装置。
【請求項９】
前記光源部からの位置に応じた配光情報が予め記憶される配光情報記憶部をさらに有し、
前記輝度取得部は、
前記配光情報記憶部に記憶される、前記位置情報に示される位置に対応した前記配光情報に基づき前記輝度を取得する
ことを特徴とする請求項１乃至請求項８の何れか１項に記載の照明装置。
【請求項１０】
前記光源部からの位置と、前記透過率とに応じた輝度均斉度が予め記憶される輝度均斉度記憶部をさらに有し、
前記算出部は、
前記位置情報に示される位置と前記透過率とに従い前記輝度均斉度記憶部から前記輝度均斉度を取得する
ことを特徴とする請求項１乃至請求項９の何れか１項に記載の照明装置。
【請求項１１】
少なくとも人の位置を示す位置情報を取得する位置情報取得ステップと、
前記位置情報に示される位置での、器具発光面の輝度を取得する輝度取得ステップと、
前記透過率と前記器具発光面の前記輝度とに従い、前記位置情報で示される位置での前記器具発光面の輝度分布の均一さを示す輝度均斉度を算出する算出ステップと、
前記領域毎の輝度と前記輝度均斉度とに応じて、
光を放射する光源部の光出力と、前記光源部から放射された光を透過率に従い拡散させる拡散部の前記透過率とを変更する制御ステップと
を有する
ことを特徴とする照明装置の制御方法。
【発明の詳細な説明】
【技術分野】
【０００１】
本発明は、照明装置および照明装置の制御方法に関する。
【背景技術】
【０００２】
作業者の視野内に輝度の高い部分が存在すると、不快グレアの原因となる。不快グレアは、眩しさによる心理的な不快感を与えるもので、作業者に対して不快感や見えづらさを生じさせる。そのため、従来から、照明器具の発光面の輝度に基づき不快グレアを評価する方法が規定されている。この不快グレアの評価法に従い照明装置の輝度を設計することで、作業者に対して生じる不快グレアを抑制することが可能である。
【０００３】
一方、近年では、省電力や環境への配慮などから、従来から用いられる蛍光ランプを光源とした照明器具に代わり、ＬＥＤ(Light  Emitting  Diode)を光源として用いたＬＥＤ照明器具が普及している。このＬＥＤ照明器具は、それぞれ点光源であるＬＥＤが多数配置されて構成されるため局所的に輝度の高い部分が存在し、発光面の輝度分布が一様にはならない場合がある。
【先行技術文献】
【特許文献】
【０００４】
【特許文献１】特開平５−２１７６７８号公報
【発明の概要】
【発明が解決しようとする課題】
【０００５】
従来のグレア評価方法は、ＬＥＤ照明器具などの、発光面に局所的に輝度の高い部分が存在する照明器具については考慮されておらず、適切な評価が得られない可能性があるという問題点があった。この場合、例えば、平均輝度に基づき求めたグレア評価に対して、実際のＬＥＤ照明器具によるグレアがより強くなってしまうおそれがある。
【０００６】
また、より確実にグレアを抑えるために、拡散度の大きな拡散板を発光面に設けることが考えられる。しかしながら、拡散板において拡散度と透過率との間には一定の関係があり、拡散度の大きな拡散板は、透過率が低い。そのため、拡散度の大きな拡散板を発光面に設けたＬＥＤ照明器具は、グレアが抑制される一方で、照明の効率が低くなってしまうという問題点があった。
【０００７】
本発明が解決しようとする課題は、発光面に局所的に輝度の高い部分が存在する照明装置を用いた場合に、照明効率の低下を抑えつつ、グレアを抑制可能な照明装置および照明装置の制御方法を提供することにある。
【課題を解決するための手段】
【０００８】
実施形態の照明装置は、拡散部が、光を放射する光源部から放射された光を透過率に従い拡散させる。位置情報取得部は、少なくとも人の位置を示す位置情報を取得する。輝度取得部は、位置情報に示される位置での、器具発光面の輝度を取得し、算出部は、拡散部の透過率と器具発光面の輝度とに従い、器具発光面の輝度分布の均一さを示す輝度均斉度を算出する。制御部は、領域毎の輝度と輝度均斉度とに応じて透過率と光源部の光出力とを変更する。
【図面の簡単な説明】
【０００９】
【図１】図１は、用語の定義を行うための図である。
【図２】図２は、照明装置の設置例を概略的に示す図である。
【図３】図３は、照明装置の器具発光面における輝度分布の例を示す図である。
【図４】図４は、第１の実施形態による照明装置の一例の構成を示すブロック図である。
【図５】図５は、第１の実施形態に係る照明装置の設置例を概略的に示す図である。
【図６】図６は、第１の実施形態に係る拡散板制御テーブルの例を示す図である。
【図７】図７は、第１の実施形態に係る照明制御処理の例を示すフローチャートである。
【図８】図８は、第１の実施形態に係る輝度制限値テーブルの例を示す図である。
【図９】図９は、第１の実施形態に係る光源制御テーブルの例を示す図である。
【図１０】図１０は、第１の実施形態に係る輝度均斉度テーブルの例を示す図である。
【図１１】図１１は、第１の実施形態に係る輝度均斉度制限値テーブルの例を示す図である。
【図１２】図１２は、第１の実施形態の変形例に係る照明制御処理の例を示すフローチャートである。
【図１３】図１３は、第１の実施形態および第１の実施形態の変形例の適用例について説明するための図である。
【図１４】図１４は、第１の実施形態および第１の実施形態の変形例の適用例について説明するための図である。
【図１５】図１５は、第１の実施形態および第１の実施形態の変形例の適用例について説明するための図である。
【図１６】図１６は、第１の実施形態および第１の実施形態の変形例の適用例について説明するための図である。
【図１７】図１７は、第１の実施形態および第１の実施形態の変形例の他の適用例について説明するための図である。
【図１８】図１８は、第１の実施形態および第１の実施形態の変形例に適用可能な照明装置の一例の構成を示すブロック図である。
【図１９】図１９は、第２の実施形態に係る照明装置の一例の構成を示すブロック図である。
【発明を実施するための形態】
【００１０】
各実施形態の説明に先んじて、用語の定義を行い、次いで、既存技術による照明装置について説明する。
【００１１】
（用語の定義）
先ず、図１を参照しながら用語の定義を行う。図１（ａ）は、照明装置２００の断面を示し、図１（ｂ）は、照明装置２００の正面を示す。なお、以下では、照明装置が主たる光を放射する面を正面と呼ぶ。例えば照明装置が天井に設けられる場合、照明装置の床面に対向する面が正面となる。
【００１２】
図１において、照明装置２００は、それぞれ光源を備える２の光源部２０１および２０２を有すると共に、拡散板２０３および２０４を有する。拡散板２０３は、光源部２０１から照射された光を拡散して照明装置２００の外部に放射する。拡散板２０４は、光源部２０２から照射された光を拡散して照明装置２００の外部に放射する。
【００１３】
図１を参照し、照明装置２００により光が放射される部分として、発光部、発光面および器具発光面を定義する。発光部は、光源部を暗所に置いた場合に光が放射される部分である。図１の例では、各光源部２０１および２０２の表面がそれぞれ発光部２０５および２０６とされている。
【００１４】
発光面は、１種類の光源部に１種類の拡散部を具備した状態で暗所に置いた場合に、光が放射される部分である。図１の例では、例えば光源部２０１に対して拡散板２０３を設けた状態で光が放射される、拡散板２０３の、発光部２０５とは反対側の面が発光面２０７とされている。光源部２０２および拡散板２０４の組み合わせについても同様に、発光部２０６の反対側の面が発光面２０８とされている。
【００１５】
器具発光面は、照明装置を暗所に置いた場合に光が放射される部分である。図１の例では、器具発光面２０９は、発光面２０７および２０８を含む。器具発光面から放射される光は、光源部から放射される直接光と、光源部から放射された光が当該光源部に対して設けられた拡散部を介して放射される拡散光と、光源部から放射された光が光源部が備える反射部材（図示しない）から反射された反射光とを含む。これに限らず、器具発光面から放射される光が、直接光、拡散光および反射光のうち少なくとも１を含んでいてもよい。
【００１６】
（各実施形態による照明装置評価方法）
次に、各実施形態に適用される輝度均斉度について説明する。図２は、照明装置の設置例を示す。照明装置１００は、例えばオフィスといった室内の天井１０３に設置され、照明部１０１が床面方向に向けて光を放射する。人１０２は、当該室内の任意の位置に移動することができる。
【００１７】
図３は、照明装置１００の器具発光面における輝度分布の例を示す。図３（ａ）および図３（ｂ）それぞれの上側は、照明装置１００の照明部１０１および１０１’を正面から見た一例の構成を示す。この例では、照明部１０１および１０１’が備える光源部１２１は、それぞれ１または複数のＬＥＤが密集してなる光源１２２1、１２２2、１２２3、１２２4および１２２5を含む。図３（ａ）の例の場合、各光源１２２1〜１２２5からの光は、拡散板１２０Ａを介して照明装置１００の外部に放射される。
【００１８】
なお、各光源１２２1〜１２２5は、ＬＥＤ(Light  Emitting  Diode)を光源として用いたＬＥＤモジュールであるものとする。ＬＥＤモジュールは、光源として１以上のＬＥＤを含み、直流電源の電流値で出力すなわち輝度が制御される。このＬＥＤモジュールは、それぞれ点光源であるＬＥＤが複数配置されて構成されるため局所的に輝度の高い部分が存在し、発光面の輝度分布が一様にはならない場合がある。
【００１９】
図３（ａ）の下側は、照明部１０１の器具発光面での輝度分布の例を示す。図３（ｂ）の下側は、拡散板１２０Ａよりも拡散度の高い拡散板１２０Ｂを用いた照明部１０１’の器具発光面での輝度分布の例を示す。これら図３（ａ）および図３（ｂ）の下側の輝度分布の図において、縦軸は輝度を示し、横軸は、図３（ａ）および図３（ｂ）の上側の図に対応する位置を示す。
【００２０】
例えば照明部１０１は、複数の光源１２２1〜１２２5をそれぞれＬＥＤを用いて構成している。そのため、図３（ａ）の下側に示されるように、各光源１２２1〜１２２5の位置で局所的に輝度が高く、各光源１２２1〜１２２5の間では輝度が低い値となっている。この場合の最高輝度を輝度Ｌmaxとし、平均輝度を輝度Ｌavgとする。最高輝度Ｌmaxが局所的に出現するため、平均輝度Ｌavgから期待される眩しさよりも、より眩しく感じることになる。
【００２１】
一方、図３（ｂ）の下側に示されるように、照明部１０１’は、拡散板１２０Ａよりも拡散度の高い拡散板１２０Ｂを用いているため、拡散板１２０Ａを用いた照明部１０１に対して、平均輝度が輝度Ｌavgより低い輝度Ｌavg’まで下がっている。この場合、最高輝度も、輝度Ｌmaxより低い輝度Ｌmax’まで下がる。しかしながら、局所的に最高輝度Ｌmax’が出現する現象は変わらず、眩しく感じるおそれがある。
【００２２】
そのため、各実施形態では、発光面（器具発光面）の輝度分布の均一さを示す輝度均斉度を定義する。発光面の輝度均斉度Ｕは、発光面の平均輝度Ｌavgおよび最高輝度Ｌmaxを用いて、例えば次式（１）によって算出される。輝度均斉度Ｕは、換言すれば、発光面の輝度分布を定量的に示す値であるといえる。また、式（１）から分かるように、輝度均斉度Ｕは、０＜Ｕ≦１で示される範囲の値である。
Ｕ＝Ｌavg／Ｌmax    …（１）
【００２３】
式（１によれば、輝度均斉度Ｕは、発光面の平均輝度Ｌavgと最大輝度Ｌmaxとが等しい場合に、最大値の１を取り、平均輝度Ｌavgに対して最大輝度Ｌmaxが大きいほど、小さな値となる。図３（ａ）および図３（ｂ）の例では、図３（ａ）に示す照明部１０１に対して図３（ｂ）に示す照明部１０１’の方が、輝度均斉度Ｕがより１に近い値となる。
【００２４】
なお、式（１）は一例であって、輝度均斉度Ｕは、他の方法で求めてもよい。例えば、発光面の平均輝度、最大輝度、最小輝度、輝度の標準偏差のうち２の組み合わせを用いて比率を算出し、輝度均斉度Ｕとすることが考えられる。すなわち、（平均輝度，最大輝度）、（平均輝度，最小輝度）、（平均輝度，輝度の標準偏差）、（最大輝度，最小輝度）、（最大輝度，輝度の標準偏差）および（最小輝度，輝度の標準偏差）のうち１の組み合わせで求めた比率を、輝度均斉度Ｕとする。
【００２５】
以下では、輝度均斉度Ｕを、上述の式（１）にて算出するものとする。
【００２６】
（第１の実施形態による照明装置）
次に、第１の実施形態による照明装置について説明する。図４は、第１の実施形態による照明装置の一例の構成を示す。図４において、照明装置１は、外部情報取得部１０と、輝度取得部１１と、輝度均斉度取得部１２と、透過率取得部１３と、制御部１４と、電源部１５と、照明部１６とを有する。なお、外部情報取得部１０、輝度取得部１１、輝度均斉度取得部１２、透過率取得部１３および制御部１４は、ＣＰＵ(Central  Processing  Unit)上で動作するプログラムにより実現してもよいし、一部または全部をそれぞれ独立したハードウェアで構成してもよい。
【００２７】
照明部１６は、拡散板２０Ａおよび２０Ｂと、光源部２１とを有する。光源部２１は、上述した光源部１２１と同様に、ＬＥＤを光源として用いたＬＥＤモジュールを含む。
【００２８】
拡散板２０Ａおよび２０Ｂは、上述した拡散板１２０Ａおよび１２０Ｂと同様に、例えばエレクトロクロミックグレージング素子を用いた調光ガラスを用いて構成することができる。この場合、拡散板２０Ａおよび２０Ｂの透過率は、外部から供給する電源の電流値を変化させることで変更することができる。これに限らず、拡散板２０Ａおよび２０Ｂは、ポリマネットワークの作用により、液晶分子の配列が不規則な状態を誘起して光を散乱させることにより透過率を可変できるＰＤＬＣ（高分子分散型液晶）を用いて構成してもよい。この場合、拡散板２０Ａおよび２０Ｂの透過率は、外部から供給する電源の電圧値を変化させることで変更することができる。
【００２９】
なお、一般的に、拡散板は、透過率を変化させることにより、拡散される光の拡散度が変更される。より具体的には、拡散板の透過率を低くするに連れ、拡散度が高くなる。また、拡散度は、ヘイズや分散度により表される。ヘイズは、フィルムの透明性に関する指標で、濁度を表す。ヘイズは、拡散透過光の全光線透過光に対する割合から求められる。また、分散度は、光の放射方向の中心を０°としたときに、輝度が０°の輝度に対して５０％になる角度を指す。分散度は、数値が大きいほど拡散性に優れていることを示す。
【００３０】
電源部１５は、光源部２１に対して電源を供給して光源部２１から光を照射させる。また、電源部１５は、拡散板２０Ａおよび２０Ｂに対して電源を供給し、制御部１４の制御に応じて拡散板２０Ａおよび２０Ｂの透過率を変化させる。
【００３１】
情報送信装置２は、少なくとも人の位置を示す情報を外部情報取得部１０に対して送信する。
【００３２】
図５は、第１の実施形態に係る照明装置１の設置例を概略的に示す。照明装置１は、例えば、オフィスといった室内の天井４に設置され、床面方向に向けて光を放射する。
【００３３】
情報送信装置２は、例えば、人３が操作して人３の位置を示す情報を無線通信などにより送信する通信装置２Ａを用いることができる。このような通信装置２Ａとしては、例えば通信機能を有するスマートフォンやタブレット型コンピュータを適用することができる。この場合、外部情報取得部１０は、この通信装置２Ａと無線通信可能に構成される。一例として、通信装置２Ａは、室内のマップデータを予め記憶し、人３がこのマップデータに対して自分の位置を指定することで、人３の位置を示す位置情報を外部情報取得部１０に対して送信することが考えられる。
【００３４】
情報送信装置２は、これに限らず、赤外線などを利用して人３の所在を検知する人感センサ２Ｂを用いることもできる。人感センサ２Ｂは、人３の所在を検知すると、その旨示す信号を外部情報取得部１０に対して無線または有線にて送信する。この場合、室内の複数箇所に人感センサ２Ｂを設置し、外部情報取得部１０は、人３の所在を示す信号を出力した人感センサ２Ｂを特定することで、人３の位置を示す位置情報を取得することができる。
【００３５】
また、人３の所在を検知する方法は、人感センサ２を用いた方法に限定されない。例えば、カメラで取得した画像から人３の位置を検知してもよい。例えば、カメラを室内に設置して室内の様子を撮影する。カメラは、室内に複数を設置してもよいし、撮影方向を稼働とされた１台のカメラを設置してもよい。撮影された画像からパターンマッチングなどを利用して人を検出し、検出された人の画像内での大きさや、画像内に写る既知の什器の位置などとの関係から、人の位置を求めることが考えられる。
【００３６】
なお、人の位置を示す位置情報は、高さを示す情報を含む。このとき、位置情報に含まれる高さの情報は、平均的な身長の人が立ったときの目の位置としてもよいし、人が座ったときに想定される目の位置でもよい。
【００３７】
図４において、外部情報取得部１０は、情報送信装置２から送信された位置情報を受信し、受信した位置情報を輝度取得部１１および輝度均斉度取得部１２にそれぞれ供給する。
【００３８】
輝度取得部１１は、外部情報取得部１０から供給された位置情報と、図示されないＲＯＭ(Read  Only  Memory)などに予め記憶される、照明装置１の配光情報と、後述する制御部１４により制御される現在の拡散板２０Ａおよび２０Ｂの透過率とに基づき、人３の位置における照明装置１による器具発光面の輝度を取得する。ここで取得される輝度は、照明装置１の器具発光面における輝度分布が考慮されていない、器具発光面での平均輝度である。
【００３９】
配光情報は、照明装置１に固有の情報であって、拡散板２０Ａおよび２０Ｂの透過率毎（例えば透過率の１０％のステップ毎）の配光情報が予め測定または計算され、配光情報テーブルとしてＲＯＭなどに記憶される。より具体的には、光源部２１のある全光束における、透過率毎の配光情報を、光源部２１の全光束の段階的な値についてそれぞれ求め、配光情報テーブルとして記憶する。このとき、配光情報テーブルは、光源部２１の全光束の段階的な値についてそれぞれ求めた透過率毎の配光情報が、電源部１５の出力の段階的な値毎に求められ、記憶される。すなわち、配光情報テーブルは、光源部２１の各全光束および電源部１５の各出力にそれぞれ対応する各配光情報を含む。
【００４０】
これに限らず、配光情報は、例えば人３が情報送信装置２に対して入力し、情報送信装置２が入力された配光情報を外部情報取得部１０に送信するようにしてもよい。外部情報取得部１０は、情報送信装置２から送信された配光情報を輝度取得部１１に供給する。
【００４１】
輝度均斉度取得部１２は、外部情報取得部１０から供給された位置情報と、輝度取得部１１で取得された平均輝度と、後述する制御部１４により制御される現在の拡散板２０Ａおよび２０Ｂの透過率と、光源部２１による現在の最大輝度とに基づき、人３の位置における照明装置１の器具発光面での輝度均斉度を取得する。
【００４２】
例えば、輝度均斉度取得部１２は、位置情報と、平均輝度と、透過率と、最大輝度とを関連付けて作成され、図示されないＲＯＭなどに予め記憶されたテーブルを参照することで、輝度均斉度を取得することができる。これに限らず、輝度均斉度は、例えば人３が情報送信装置２に対して入力し、情報送信装置２が入力された輝度均斉度を外部情報取得部１０に送信するようにしてもよい。外部情報取得部１０は、情報送信装置２から送信された輝度均斉度を輝度均斉度取得部１２に供給する。
【００４３】
後述するが、制御部１４は、電源部１５から光源部２１に供給される電流を制御することで、光源部２１による光の出力を制御する。
【００４４】
透過率取得部１３は、輝度取得部１１で取得された平均輝度と、輝度均斉度取得部１２で取得された輝度均斉度とに基づき、拡散板２０Ａおよび２０Ｂの透過率を取得する。このとき、透過率取得部１３は、照明装置１から放射された光の、人３の位置での輝度と、輝度均斉度とがそれぞれ予め定められた範囲内の値になるように、拡散板２０Ａおよび２０Ｂの透過率を取得する。この透過率取得部１３による透過率の取得処理の詳細は、後述する。
【００４５】
制御部１４は、透過率取得部１３で取得された透過率に基づき、電源部１５から出力される電源の、拡散板２０Ａおよび２０Ｂ、ならびに、光源部２１への供給を制御する。すなわち、制御部１４は、拡散板２０Ａおよび２０Ｂの透過率が、透過率取得部１３から供給された透過率になるように、電源部１５から拡散板２０Ａおよび２０Ｂに対して供給される電源の電流値を制御する。
【００４６】
例えば、図６に例示されるような、拡散板２０Ａおよび２０Ｂに供給する電源の電流値と、拡散板２０Ａおよび２０Ｂの透過率とが関連付けられた拡散板制御テーブルを、図示されないＲＯＭなどに予め記憶しておく。制御部１４は、透過率取得部１３から供給された透過率に従いこのテーブルを参照して、拡散板２０Ａおよび２０Ｂに供給する電源の電流値を決定する。なお、制御部１４は、拡散板２０Ａおよび２０Ｂそれぞれの透過率を、互いに独立して制御することが可能とされている。
【００４７】
また、制御部１４は、拡散板２０Ａおよび２０Ｂの透過率の変更の前後で光源部２１の平均輝度が一定となるように、電源部１５から光源部２１に供給する電源の電流値を制御する。例えば、平均輝度を一定とした場合の、拡散板２０Ａおよび２０Ｂの透過率と、光源部２１に供給する電流値とを関連付けたテーブルを、各平均輝度毎に作成し、図示されないＲＯＭなどに予め記憶しておく。制御部１４は、平均輝度と、拡散板２０Ａおよび２０Ｂの透過率とに従いこのテーブルを参照し、光源部２１に供給する電源の電流値を決定する。
【００４８】
拡散板２０Ａおよび２０Ｂの透過率を低くすることで、輝度均斉度が高くなり、不快グレアは軽減される。一方、拡散板２０Ａおよび２０Ｂの透過率を低くすると、平均輝度が下がるため、空間の明るさが低下する。平均輝度を一定としたまま輝度均斉度を変更することで、適正な空間の明るさを保ったまま、不快グレアを制限する環境を実現できる。
【００４９】
（第１の実施形態に係る照明制御処理）
次に、第１の実施形態に係る照明装置１における照明制御について説明する。図７は、第１の実施形態に係る照明制御処理の例を示すフローチャートである。このフローチャートによる処理は、照明装置１において拡散板２０Ａおよび２０Ｂの透過率が１００％の初期状態から開始されるものとする。
【００５０】
照明装置１は、ステップＳ１０で、外部情報取得部１０により情報送信装置２から送信された位置情報を受信し、照明制御の対象者である人３の位置情報を取得する。次のステップＳ１１で、照明装置１は、輝度取得部１１により、外部情報取得部１０から供給された位置情報と、予め作成されＲＯＭなどに記憶される照明装置１の配光情報と、制御部１４から取得される拡散板２０Ａおよび２０Ｂの透過率とに基づき、対象者の位置における照明装置１の器具発光面での輝度値を取得する。
【００５１】
次のステップＳ１２で、照明装置１は、透過率取得部１３により、ステップＳ１１で取得された輝度値の評価を行う。ここで、透過率取得部１３は、予め定められた、各鉛直角毎の輝度制限値に従い、ステップＳ１１で取得された輝度値が対象者にとって眩しさを感じる輝度値であるか否かを判定する。例えば、図８に例示される、各鉛直角毎の輝度制限値を、グレアの質的クラス毎に分類して関連付けた輝度制限値テーブルを作成し、図示されないＲＯＭなどに予め記憶しておく。
【００５２】
なお、鉛直角は、照明装置１の発光面（器具発光面）に対する法線との角である。
【００５３】
グレアの質的クラスとは、非特許文献(CIE  Pub  No29.2:  Guide  on  interior  lighting(1986))に示されるＣＩＥ（国際照明委員会）グレアセーフガードシステムに規定される、照明器具による不快グレアの程度を、照明下で要求される作業の質が高い順にクラスＡ〜クラスＥの分類値で表される５のクラスに分類したものである。同じ鉛直角であれば、輝度制限値が示す輝度は、グレアの質的クラスの分類値がクラスＡで最も低くなり、クラスＥで最も高くなる傾向がある。また、グレアの質的クラスの分類値が同じであれば、輝度制限値が示す輝度は、鉛直角が大きくなるほど低くなる傾向がある。グレアの質的クラスは、例えば、照明装置１が設置される環境や用途に応じて、予め設定される。
【００５４】
したがって、透過率取得部１３は、対象者の位置情報から、照明装置１に対する対象者の位置の鉛直角を算出する。そして、照明装置１に設定されたグレアの質的クラスの分類値と鉛直角とから参照される輝度制限値と、ステップＳ１１で取得された輝度値とを比較する。そして、透過率取得部１３は、ステップＳ１１で取得された輝度値が輝度制限値を超えているか否かを判定し、輝度値の評価を行う。
【００５５】
次のステップＳ１３で、透過率取得部１３は、ステップＳ１２でなされた輝度値の評価に基づき、新たな輝度値を取得する。例えば、透過率取得部１３は、ステップＳ１２で、輝度値が輝度制限値を超えていたと判定した場合、対象者の位置における照明装置１の照明による輝度値が輝度制限値以下になるような光源部２１の出力を求める。そして、その出力を得るために光源部２１に供給する電流値を求め、制御部１４に供給する。
【００５６】
より具体的には、透過率取得部１３は、配光情報テーブルに含まれる各全光束の配光情報のうち、対象者の位置における輝度値が、ステップＳ１２で用いた輝度制限値以内になる配光情報を選択する。透過率取得部１３は、選択した配光情報に対応する全光束を得るための、光源部２１に対する電流値を求め、制御部１４に渡す。
【００５７】
透過率取得部１３は、この電流値を、図９に例示されるような、予め作成された、光源部２１に供給する電源の電流値と、光源部２１から放射される全光束とを関連付ける光源制御テーブルに基づき取得する。図９の例では、光源制御テーブルは、拡散板２０Ａおよび２０Ｂによる各透過率について、各電流値と全光束とが関連付けられている。この光源制御テーブルは、予め作成され、ＲＯＭなどに記憶される。
【００５８】
次のステップＳ１４で、照明装置１は、輝度均斉度取得部１２により、対象者の位置での、照明装置１の器具発光面における輝度均斉度を取得する。輝度均斉度取得部１２は、上述したように、外部情報取得部１０から供給された位置情報と、輝度取得部１１で取得された平均輝度と、後述する制御部１４により制御される現在の拡散板２０Ａおよび２０Ｂの透過率と、光源部２１による現在の最大輝度とに基づき、この輝度均斉度を取得する。このとき、光源部２１の最大輝度は、上述したステップＳ１３で取得された電流値により駆動される光源部２１の最大輝度を用いる。
【００５９】
例えば、輝度取得部１１は、制御部１４による光源部２１に対する電流値に基づき、光源部２１の輝度均斉度を求める。ここで求めた輝度均斉度は、照明装置１に対する鉛直角が０°の場合の値である。輝度均斉度取得部１２は、予め作成された、輝度均斉度と鉛直角との対応関係を示す輝度均斉度テーブルを、対象者の位置情報から算出した鉛直角に従い参照して、対象者の位置における輝度均斉度を取得する。
【００６０】
図１０（ａ）および図１０（ｂ）は、第１の実施形態に係る輝度均斉度テーブルの例を示す。図１０（ａ）および図１０（ｂ）に示されるように、拡散板２０Ａおよび２０Ｂの各透過率について、各鉛直角における各輝度均斉度が、光源部２１に供給する電源の各電流値に関連付けられている。光源部２１への電流値が同じであれば、輝度均斉度は、鉛直角が大きくなるほど大きな値となる傾向がある。また、輝度均斉度は、光源部２１への電流値が小さくなるほど大きな値となる傾向がある。さらに、鉛直角と光源部２１への電流値とが同じであれば、輝度均斉度は、透過率が低いほど大きな値となる傾向がある。この輝度均斉度テーブルは、予め作成され、図示されないＲＯＭなどに記憶される。
【００６１】
照明装置１は、次のステップＳ１５で、透過率取得部１３により、ステップＳ１４で取得した輝度均斉度の評価を行う。ここで、透過率取得部１３は、予め定められた、各鉛直角の輝度均斉度の制限値に従い、ステップＳ１４で取得された輝度均斉度が対象者にとって眩しさを感じる輝度均斉度であるか否かを判定する。例えば、図１１に例示される、各鉛直角の輝度均斉度の制限値を、グレアの質的クラス毎に分類して関連付けられた輝度均斉度制限値テーブルを作成し、図示されないＲＯＭなどに予め記憶しておく。
【００６２】
輝度均斉度の制限値は、グレアの質的クラスの分類値がクラスＡで最も高くなり、クラスＥで最も低くなる傾向がある。また、グレアの質的クラスの分類値が同じであれば、輝度均斉度は、鉛直角が大きくなるほど低くなる傾向がある。透過率取得部１３は、ステップＳ１４で取得した輝度均斉度が、照明装置１に対して設定されたグレアの質的クラスの分類値における、鉛直角が対応する輝度均斉度よりも低い場合に、対象者が眩しさを感じると判定する。
【００６３】
なお、上述した図６、ならびに、図８〜図１１の各テーブルに格納される値は、離散値なので、各要素間の値を参照する場合には、近接する要素の値を用いて補間を行う。
【００６４】
照明装置１は、次のステップＳ１６で、透過率取得部１３により、輝度均斉度の調整を行う。すなわち、上述のステップＳ１５において、ステップＳ１４で取得した輝度均斉度が対象者によって眩しさを感じる値である場合に、輝度均斉度をより大きな値に調整して、対象者に対して眩しさを感じさせないようにする。
【００６５】
透過率取得部１３は、拡散板２０Ａおよび２０Ｂの透過率を変更することで輝度均斉度を調整する。すなわち、透過率取得部１３は、照明装置１の器具発光面の輝度均斉度が、ステップＳ１５で図１１の輝度均斉度制限値テーブルから求めた輝度均斉度以上になる、拡散板２０Ａおよび２０Ｂの透過率を求める。より具体的には、透過率取得部１３は、図１０の輝度均斉度テーブルを参照し、ステップＳ１０で取得された位置情報と、ステップＳ１３で取得した輝度の光源部２１への電流値と、ステップＳ１４で取得された輝度均斉度の制限値とに対応する拡散板２０Ａおよび２０Ｂの透過率を取得する。そして、透過率取得部１３は、取得した透過率に従い図６で示した拡散板制御テーブルを参照して、拡散板２０Ａおよび２０Ｂに供給する電源の電流値を取得して、制御部１４に渡す。
【００６６】
照明装置１は、次のステップＳ１７で、透過率取得部１３により、光源部２１からの光による輝度値を調整する。すなわち、上述のステップＳ１６の処理では、拡散板２０Ａおよび２０Ｂの透過率をより低い値とすることで、輝度均斉度がより大きな値になるように調整される。そのため、照明装置１から放射される光の、対象者の位置における輝度値が、適切な値よりさらに低下する。そのため、このステップＳ１７で、光源部２１の出力を増大させて、対象者の位置における適切な輝度値に調整する。
【００６７】
より具体的には、透過率取得部１３は、配光情報テーブルに含まれる各全光束の配光情報のうち、対象者の位置における輝度値がステップＳ１３で取得した輝度値になる配光情報を選択する。透過率取得部１３は、選択した配光情報に対応する全光束を得るための、光源部２１に対する電流値を図９で示した光源制御テーブルを参照して求め、制御部１４に渡す。
【００６８】
このように、第１の実施形態では、照明装置１の器具発光面における輝度と、照明装置１において光源部２１に対して設けられる拡散板２０Ａおよび２０Ｂの透過率（すなわち拡散度）とを、輝度均斉度を考慮しながら、対象者の位置に応じて変更している。そのため、対象者が眩しさを感じることが防がれる。
【００６９】
なお、上述では、通信装置２Ａが人３の位置を示す位置情報を送信するように説明したが、これはこの例に限定されない。例えば、通信装置２Ａは、人３の個別の情報を照明装置１に対してさらに送信することもできる。例えば、通信装置２Ａに対し、眩しさに対する許容度を人３が入力する入力部をさらに設け、通信装置２Ａは、位置情報と共に、人３により入力された、眩しさに対する許容度を示す情報を照明装置１に送信する。照明装置１は、この許容度を示す情報に基づき、例えば輝度制限値や輝度均斉度の制限値を調整し、調整された輝度制限値や輝度均斉度の制限値を用いて、拡散板２０Ａおよび２０Ｂそれぞれの透過率や、光源部２１の出力を決定する。
【００７０】
眩しさに対する許容度は、数値などを用いて直接的に入力することが考えられる。これに限らず、人３の年齢や虹彩の色といった、眩しさの感じ易さに関連する個人情報を入力させ、送信するようにしてもよい。
【００７１】
（第１の実施形態の変形例）
次に、第１の実施形態の変形例について説明する。上述した第１の実施形態では、最初に器具発光面の輝度を変更し、次に、変更された輝度に基づき輝度均斉度を変更し、その後、再び輝度を変更して、輝度均斉度の変更による輝度の低下を補っている。これに対して、第１の実施形態の変形例では、最初に器具発光面の輝度均斉度を変更し、次に器具発光面の輝度を変更するようにしている。この手順であっても、上述の第１の実施形態と同様に、対象者が眩しさを感じることを防ぐことが可能である。
【００７２】
図１２は、第１の実施形態の変形例に係る照明制御処理の例を示すフローチャートである。なお、第１の実施形態の変形例では、図４を用いて説明した第１の実施形態に係る照明装置１の構成をそのまま適用できる。また、図６、ならびに、図８〜図１１を用いて説明した各テーブルも、第１の実施形態の変形例でそのまま用いることができる。
【００７３】
図１２のフローチャートによる処理は、上述と同様に、照明装置１において拡散板２０Ａおよび２０Ｂの透過率が１００％の初期状態から開始されるものとする。照明装置１は、ステップＳ２０で、外部情報取得部１０により情報送信装置２から送信された位置情報を受信し、照明制御の対象者の位置情報を取得する。
【００７４】
照明装置１は、次のステップＳ２１で、上述のステップＳ１４と同様にして、輝度均斉度取得部１２により対象者の位置における輝度均斉度を取得する。照明装置１は、次のステップＳ２２で、透過率取得部１３により、ステップＳ２１で取得した輝度均斉度の評価を、上述したステップＳ１５と同様にして行う。照明装置１は、次のステップＳ２３で、透過率取得部１３により、上述したステップＳ１６と同様にして、拡散板２０Ａおよび２０Ｂの透過率を変更することで輝度均斉度の調整を行う。
【００７５】
照明装置１は、次のステップＳ２４で、輝度取得部１１により、上述したステップＳ１１と同様にして、対象者の位置における照明装置１の器具発光面での輝度値を取得する。ここで取得される輝度値は、ステップＳ２３において輝度均斉度が調整された後の輝度値である。照明装置１は、次のステップＳ２５で、透過率取得部１３により、ステップＳ２４で取得した輝度値の評価を、上述したステップＳ１２と同様にして行う。
【００７６】
照明装置１は、次のステップＳ２６で、透過率取得部１３により、ステップＳ２５でなされた輝度値の評価に基づき、上述のステップＳ１３と同様にして新たな輝度値を取得する。すなわち、透過率取得部１３は、ステップＳ２５で、輝度値が輝度制限値を超えていたと判定した場合、対象者の位置における照明装置１の照明による輝度値が輝度制限値以下になるような光源部２１の出力を求める。そして、その出力を得るために光源部２１に供給する電流値を求め、制御部１４に供給する。これにより、光源部２１からの光の放射による、対象者の位置における輝度値が適切に調整され、対象者が眩しさを感じることが防がれる。
【００７７】
この第１の実施形態の変形例によれば、上述の第１の実施形態による照明制御処理に対して１ステップ少ない手順で、対象者に対する適切な輝度を得ることができる。
【００７８】
（第１の実施形態および第１の実施形態の変形例の適用例）
次に、第１の実施形態および第１の実施形態の変形例の適用例について、図１３〜図１６を用いて説明する。上述したように、第１の実施形態および第１の実施形態の変形例では、対象者（人３）の有無や位置に応じて照明装置１の輝度均斉度を変更することができる。
【００７９】
一例として、図１３（ａ）および図１３（ｂ）に示されるように、光源部２１に拡散板２０Ａが設けられた照明部１６を考える。ここで、光源部２１は、それぞれＬＥＤモジュールからなる複数の光源２２1、２２2、２２3、２２4および２２5を含むものとする。図１３（ａ）は、拡散板２０Ａの透過率が１００％とされている例を示す。一方、図１３（ｂ）は、拡散板２０Ａの透過率が１００％未満の任意の値（例えば５０％）に制御されている例を示す。
【００８０】
外部情報取得部１０が情報送信装置２から送信された位置情報を取得していない場合、すなわち、照明装置１の設置された空間内に対象者がいないような場合、照明装置１は、上述の図７または図１２のフローチャートにおける初期状態のままとなり、拡散板２０Ａの透過率が１００％とされる。これは、図１３（ａ）の状態に対応する。この場合、照明装置１の輝度均斉度が低い値となる一方で、高輝度となる。なお、以下では、照明装置１の設置された空間を、照明設置空間と呼ぶ。
【００８１】
一方、外部情報取得部１０が情報送信装置２から送信された位置情報を取得した場合、すなわち、照明装置１の照明設置空間内に対象者がいる場合、照明装置１は、上述の図７または図１２のフローチャートに従い、拡散板２０Ａの透過率が対象者の位置などに応じた透過率に変更される。これは、図１３（ｂ）の状態に対応する。この場合、照明装置１の輝度均斉度が高い値となり、眩しさが軽減される。
【００８２】
図１３（ａ）に示す、拡散板２０Ａの透過率が１００％の状態では、拡散板２０Ａに対して供給する電源の電流値が最小となり、省エネルギ効果を期待できる。図１４は、照明装置１の照明設置空間内に対象者が出入りする場合の、照明装置１における、拡散板２０Ａの透過率の制御に伴う消費電力Ｗの変化の例を示す。図１４において、各時点ｔaは、対象者が照明設置空間外に出たタイミングを示し、各時点ｔbは、対象者が照明設置空間内に入ったタイミングを示している。このように、照明装置１の照明設置空間内に対象者がいない場合の消費電力Ｗ0は、照明設置空間内に対象者がいる場合の消費電力Ｗ1に対して低く抑えられる。
【００８３】
図１５は、照明装置１が、照明設置空間内における対象者の有無に関わらず、常に拡散板２０Ａの透過率を制御する例を示す。すなわち、照明装置１は、照明設置空間内に対象者がいる場合であっても（図１５（ａ））、照明設置空間内に対象者がいない場合であっても（図１５（ｂ））、常に拡散板２０Ａの透過率を１００％未満の値に制御する。この場合、図１６に示されるように、照明装置１は常に拡散板２０Ａの透過率を制御し、それに伴い、常に消費電力Ｗ1を消費する。
【００８４】
上述の図１４および図１６を比較して分かるように、第１の実施形態および第１の実施形態の変形例によれば、対象者の有無に従い拡散板２０Ａの透過率を制御することで、対象者の有無に関わらず拡散板２０Ａの透過率を一定とした場合に比べて照明装置１の消費電力を抑制することができ、省エネルギ効果を期待できる。
【００８５】
また、拡散板２０Ａの透過率が１００％の状態では、輝度均斉度が低下してより眩しさを感じるようになるが、光源部２１から照射される光がそのまま外部に放射されることになるため、照明の効率が上がり、光源部２１に対して供給する電源の電流値を抑えることも可能となる。したがって、この点でも省エネルギ効果を期待できる。
【００８６】
このように、照明装置１は、人の出入りが多く、常に照明で照らされている必要がある環境では、高い省エネルギ効果を期待できる。屋内ではオフィス、屋外では道路の街路灯や駐車場などに、第１の実施形態および第１の実施形態の変形例による照明装置１を適用することが考えられる。照明装置１は、照明設置空間内に人がいる場合には輝度均斉度を高めて不快グレアを軽減し、人がいない場合には輝度均斉度を低めて照明の効率を高める。そのため、不快グレアを常に考慮した場合に比べて、省エネルギ効果を高めることができると共に、不快グレアが軽減された照明空間を実現できる。
【００８７】
次に、第１の実施形態および第１の実施形態の変形例の他の適用例について、図１７を用いて説明する。上述したように、第１の実施形態および第１の実施形態の変形例では、照明装置１において、制御部１４は、拡散板２０Ａおよび２０Ｂそれぞれの透過率を、互いに独立して変更することができる。
【００８８】
図１７（ａ）は、照明装置１の照明部１６を正面から見た図である。図１７（ａ）の例では、照明部１６は、２の拡散板２０Ａおよび２０Ｂが隣接して設けられている。図１７（ｂ）は、この照明装置１の設置例を概略的に示す。この例では、人３は、照明装置１に視野を向けた際に、拡散板２０Ａの向こう側に拡散板２０Ｂを見ることになる。ここで、照明装置１が、器具発光面から突出した枠を備えているものとする。人３が照明装置１の方向を見た場合、拡散部２０Ｂの部分は人３の視野に入るが、拡散板２０Ｂより手前側の拡散板２０Ａの部分は枠に隠れて人３の視野には入らない可能性がある。
【００８９】
そこで、照明装置１は、通信装置２Ａまたは人感センサ２Ｂの出力に基づき取得した、人３の位置を示す位置情報に従い、人３の位置の、照明装置１に対する方向を判定し、判定結果に従い拡散板２０Ａおよび２０Ｂのうち何れの透過率を変更するか否かを決定する。図１７（ｂ）の例では、拡散板２０Ｂの透過率を、上述した図７または図１２のフローチャートの処理に従い変更し、拡散板２０Ａの透過率は、１００％のままとする。
【００９０】
このように、人３の位置に応じて、例えば拡散板２０Ａおよび２０Ｂのうち一方の透過率を変更し、他方の透過率を１００％のままとすることで、省エネルギ効果が期待できる。それと共に、拡散板２０Ａおよび２０Ｂのうち一方の透過率が１００％のままとされているので、輝度も確保できる。
【００９１】
拡散板２０Ａおよび２０Ｂをさらに分割し、分割した領域のそれぞれで独立して透過率を変更するようにできる。また、光源部２１が複数の光源を含む場合、この複数の光源の出力をそれぞれ独立して変更するようにもできる。
【００９２】
図１７（ａ）の例では、光源部２１は、それぞれ独立して出力制御が可能な１０の光源２２1〜２２10を備えている。１０の光源２２1〜２２10のうち、光源２２1〜２２5は、照射した光が拡散板２０Ａを介して放射され、光源２２6〜２２10は、照射した光が拡散板２０Ｂを介して放射される。
【００９３】
拡散板２０Ａおよび２０Ｂは、各光源２２1〜２２10の位置に対応して、それぞれ５の領域に分割されている。すなわち、拡散板２０Ａは、各光源２２1〜２２5に対応した各領域２３1〜２３5に分割される。同様に、拡散板２０Ｂは、各光源２２6〜２２10に対応した各領域２３6〜２３10に分割される。制御部１４は、これら分割された各領域２３1〜２３10の透過率をそれぞれ独立して変更することが可能とされている。
【００９４】
このように、光源部２１における各光源２２1〜２２10の出力と、拡散板２０Ａおよび２０Ｂにおける各領域２３1〜２３10の透過率とをそれぞれ独立して変更可能とすることで、より高い省エネルギ効果が得られることが期待できる。また、照明装置１による対象者に対する輝度を、きめ細かに制御でき、より高品質な照明を実現できる。
【００９５】
図１８は、第１の実施形態および第１の実施形態の変形例に適用可能な、照明装置１の一例の構成を示す。なお、図１８において、上述した図４と共通する部分には同一の符号を付して、詳細な説明を省略する。
【００９６】
図１８において、照明装置１は、ＣＰＵ５０と、ＲＡＭ(Random  Access  Memory)５１と、ＲＯＭ(Read  Only  Memory)５２と、受信部５３と、ドライバ５４および５５と、電源部５６と、拡散板２０Ａおよび２０Ｂと、光源部２１とを備える。ＲＯＭ５２は、この照明装置１を制御するための制御プログラムが予め記憶され、ＣＰＵ５０は、ＲＯＭ５２に記憶されるプログラムに従い、ＲＡＭ５１をワークメモリとして用いて動作し、この照明装置１の全体の動作を制御する。
【００９７】
受信部５３は、情報送信装置２から送信された信号を受信し、ＣＰＵ５０に渡す。ドライバ５４は、電源部５６から供給された電源を、ＣＰＵ５０からの制御に従い電流値を変更して拡散板２０Ａおよび２０Ｂにそれぞれ供給する。同様に、ドライバ５５は、電源部５６から供給された電源を、ＣＰＵ５０の制御に従い電流値を変更して光源部２１に供給する。
【００９８】
このような構成において、上述した外部情報取得部１０、輝度取得部１１、輝度均斉度取得部１２、透過率取得部１３および制御部１４は、ＣＰＵ５０上で動作するプログラムによって実現される。また、配光情報テーブルや、図６、ならびに、図８〜図１１を用いて説明した各テーブルは、ＲＯＭ５２に予め記憶される。
【００９９】
上述した図７または図１２のフローチャートに従った照明制御処理を実行するプログラムは、例えば、上述した各部（外部情報取得部１０、輝度取得部１１、輝度均斉度取得部１２、透過率取得部１３および制御部１４）を含むモジュール構成となっており、実際のハードウェアとしては、ＣＰＵ５０が例えばＲＯＭ５２から当該プログラムを読み出して実行することにより、上記各部が主記憶装置（例えばＲＡＭ５１）上にロードされ、各部が主記憶装置上に生成されるようになっている。
【０１００】
（第２の実施形態）
次に、第２の実施形態について説明する。上述の第１の実施形態およびその変形例では、照明装置１は、１種類の光源部２１を有しているように説明したが、これはこの例に限定されない。すなわち、照明装置は、互いに分光特性の異なる複数種類の光源部２１を有していてもよい。
【０１０１】
図１９は、第２の実施形態に係る照明装置１’の一例の構成を示す。なお、図１９において、上述した図４と共通する部分には同一の符号を付して、詳細な説明を省略する。
【０１０２】
図１９において、照明装置１’は、図４の照明装置１に対して分光分布取得部１７と、光源部２１Ｂとが追加されている。すなわち、照明部１６’は、拡散板２０Ａおよび２０Ｂと、光源部２１Ａおよび２１Ｂとを有する。光源部２１Ａから照射された光は、拡散部２０Ａを介して放射されるものとする。同様に、光源部２１Ｂから照射された光は、拡散板２０Ｂを介して放射されるものとする。
【０１０３】
光源部２１Ｂは、光源部２１Ａと分光分布特性が異なるものが用いられる。分光分布取得部１７は、外部情報取得部１０で取得された位置情報と、光源部２１Ａおよび２１Ｂそれぞれの分光分布特性とに基づき、位置情報で示される位置における光源部２１Ａの光による分光分布と、光源部２１Ｂの光による分光分布とを取得する。なお、光源部２１Ａおよび２１Ｂそれぞれの、位置毎の分光分布特性は、例えば、予め測定されＲＯＭなどに記憶される。
【０１０４】
輝度取得部１１および輝度均斉度取得部１２は、光源部２１Ａおよび２１Ｂそれぞれについて、位置情報が示す位置での輝度値および輝度均斉度をそれぞれ取得する。透過率取得部１３’は、輝度取得部１１および輝度均斉度取得部１２でそれぞれ取得された、位置情報が示す位置での、光源部２１Ａおよび２１Ｂそれぞれの輝度値および輝度均斉度が供給される。さらに、透過率取得部１３’は、分光分布取得部１７で取得された、位置情報が示す位置での光源部２１Ａおよび２１Ｂそれぞれの分光特性が供給される。
【０１０５】
透過率取得部１３’は、これら光源部２１Ａおよび２１Ｂそれぞれの輝度値と、輝度均斉度と、分光分布とに従い、拡散板２０Ａおよび２０Ｂそれぞれの透過率と、光源部２１Ａおよび２１Ｂそれぞれの出力とを取得する。制御部１４は、透過率取得部１３’で取得された拡散板２０Ａおよび２０Ｂそれぞれの透過率に従い、電源部１５からの電源を拡散板２０Ａおよび２０Ｂに供給する際の電流値を決定する。同様に、制御部１４は、透過率取得部１３’で取得された光源部２１Ａおよび２１Ｂそれぞれの出力に従い、電源部１５からの電源を光源部２１Ａおよび２１Ｂに供給する際の電流値を決定する。
【０１０６】
このように、第２の実施形態に係る照明装置１’は、複数の光源の分光分布をさらに用いて、拡散板の透過率と、光源部の出力とを制御している。そのため、照明装置１’は、複数の光源それぞれの種類に応じて輝度均斉度や輝度値の制御を行うことができ、よりきめ細かい照明制御が可能である。
【０１０７】
なお、本発明は上述した各実施形態そのままに限定されるものではなく、実施段階ではその要旨を逸脱しない範囲で構成要素を変形して具体化できる。また、各実施形態に開示されている複数の構成要素の適宜な組み合わせにより、種々の発明を形成できる。例えば、各実施形態に示される全構成要素から幾つかの構成要素を削除してもよい。さらに、異なる実施形態にわたる構成要素を適宜組み合わせてもよい。
【符号の説明】
【０１０８】
１，１’，１００  照明装置
２  情報送信装置
２Ａ  通信装置
２Ｂ  人感センサ
３  人
４  天井
１０  外部情報取得部
１１  輝度取得部
１２  輝度均斉度取得部
１３  透過率取得部
１４  制御部
１５  電源部
１６，１０１  照明部
１７  分光分布取得部
２０Ａ，２０Ｂ，１２０Ａ，１２０Ｂ  拡散板
２１，２１Ａ，２１Ｂ  光源部
【図１】
2014175224.tif 000003
【図２】
2014175224.tif 000004
【図３】
2014175224.tif 000005
【図４】
2014175224.tif 000006
【図５】
2014175224.tif 000007
【図６】
2014175224.tif 000008
【図７】
2014175224.tif 000009
【図８】
2014175224.tif 000010
【図９】
2014175224.tif 000011
【図１０】
2014175224.tif 000012
【図１１】
2014175224.tif 000013
【図１２】
2014175224.tif 000014
【図１３】
2014175224.tif 000015
【図１４】
2014175224.tif 000016
【図１５】
2014175224.tif 000017
【図１６】
2014175224.tif 000018
【図１７】
2014175224.tif 000019
【図１８】
2014175224.tif 000020
【図１９】
2014175224.tif 000021
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
光を放射する光源部と、
前記光源部から放射された光を透過率に従い拡散させる拡散部と、
少なくとも人の位置を示す位置情報を取得する位置情報取得部と、
前記位置情報に示される位置での、器具発光面の輝度を取得する輝度取得部と、
前記透過率と前記器具発光面の輝度とに従い、前記位置情報で示される位置での前記器具発光面の輝度分布の均一さを示す輝度均斉度を取得する輝度均斉度取得部と、
前記輝度と前記輝度均斉度とに応じて前記透過率と前記光源部の光出力とを変更する制御部と
を有する
ことを特徴とする照明装置。
【請求項２】
前記輝度取得部は、
前記輝度を前記器具発光面の領域毎に取得し、
前記輝度均斉度取得部は、
前記透過率と前記器具発光面の領域毎の輝度とに従い、前記位置情報で示される位置での前記輝度均斉度を取得する
ことを特徴とする請求項１に記載の照明装置。
【請求項３】
前記制御部は、
前記器具発光面における平均輝度が一定値を保持した状態で前記輝度均斉度が変化するように、前記透過率と前記光源部の光出力とを変更する
ことを特徴とする請求項１または請求項２に記載の照明装置。
【請求項４】
前記位置情報取得部は、
情報送信装置から送信された前記位置情報を取得する
ことを特徴とする請求項１乃至請求項３の何れか１項に記載の照明装置。
【請求項５】
前記位置情報取得部は、
前記情報送信装置から送信された眩しさの感じ易さを示す情報をさらに取得し、
前記制御部は、
前記輝度と、前記輝度均斉度と、眩しさの感じ易さを示す情報とに応じて前記透過率と前記光源部の光出力とを変更する
ことを特徴とする請求項４に記載の照明装置。
【請求項６】
前記位置情報取得部は、
人の所在を検出する人感センサの出力に従い前記位置情報を取得する
ことを特徴とする請求項１乃至請求項３の何れか１項に記載の照明装置。
【請求項７】
前記光源部は、
互いに分光特性の異なる複数の光源部を含み、
前記制御部は、
前記複数の光源部それぞれの分光特性に従い、前記複数の光源部の光出力を前記複数の光源部それぞれで独立して変更すると共に、前記透過率を変更する
ことを特徴とする請求項１乃至請求項６の何れか１項に記載の照明装置。
【請求項８】
前記拡散部は、複数の領域に分割されて構成され、
前記制御部は、
前記拡散部の前記複数の領域毎に前記透過率を変更する
ことを特徴とする請求項１乃至請求項７の何れか１項に記載の照明装置。
【請求項９】
前記光源部からの位置に応じた配光情報が予め記憶される配光情報記憶部をさらに有し、
前記輝度取得部は、
前記配光情報記憶部に記憶される、前記位置情報に示される位置に対応した前記配光情報に基づき前記輝度を取得する
ことを特徴とする請求項１乃至請求項８の何れか１項に記載の照明装置。
【請求項１０】
前記光源部からの位置と、前記透過率とに応じた輝度均斉度が予め記憶される輝度均斉度記憶部をさらに有し、
前記算出部は、
前記位置情報に示される位置と前記透過率とに従い前記輝度均斉度記憶部から前記輝度均斉度を取得する
ことを特徴とする請求項１乃至請求項９の何れか１項に記載の照明装置。
【請求項１１】
少なくとも人の位置を示す位置情報を取得する位置情報取得ステップと、
前記位置情報に示される位置での、器具発光面の輝度を取得する輝度取得ステップと、
前記透過率と前記器具発光面の前記輝度とに従い、前記位置情報で示される位置での前記器具発光面の輝度分布の均一さを示す輝度均斉度を取得する輝度均斉度取得ステップと、
前記領域毎の輝度と前記輝度均斉度とに応じて、
光を放射する光源部の光出力と、前記光源部から放射された光を透過率に従い拡散させる拡散部の前記透過率とを変更する制御ステップと
を有する
ことを特徴とする照明装置の制御方法。
【手続補正２】
【補正対象書類名】明細書
【補正対象項目名】０００８
【補正方法】変更
【補正の内容】
【０００８】
実施形態の照明装置は、拡散部が、光を放射する光源部から放射された光を透過率に従い拡散させる。位置情報取得部は、少なくとも人の位置を示す位置情報を取得する。輝度取得部は、位置情報に示される位置での、器具発光面の輝度を取得し、輝度均斉度取得部は、拡散部の透過率と器具発光面の輝度とに従い、器具発光面の輝度分布の均一さを示す輝度均斉度を取得する。制御部は、領域毎の輝度と輝度均斉度とに応じて透過率と光源部の光出力とを変更する。